(57)【要約】【課題】ポンプ効率の向上を図ることが可能なポンプを提供する。【解決手段】羽根部２３を有し、回転することによって、流体を回転中心側から径方向外側へと圧送するインペラ２０と、前記インペラ２０を収容する収容部３１、前記インペラ２０の径方向外側から前記収容部３１を囲むように形成され、前記インペラ２０により圧送された流体を下流端部に接続された吐出部３５へと案内するボリュート３３、及び前記収容部３１と前記ボリュート３３とが連通する部分の流路面積を絞るように形成された絞り部３４を具備するケーシング３０と、を具備した。【選択図】図５
2019027424.tif 000002
【特許請求の範囲】
【請求項１】
羽根部を有し、回転することによって、流体を回転中心側から径方向外側へと圧送するインペラと、
前記インペラを収容する収容部、前記インペラの径方向外側から前記収容部を囲むように形成され、前記インペラにより圧送された流体を下流端部に接続された吐出部へと案内する案内流路、及び前記収容部と前記案内流路とが連通する部分の流路面積を絞るように形成された絞り部を具備するケーシングと、
を具備するポンプ。
【請求項２】
前記インペラは、
外周部が、前記案内流路内に位置するように配置される、
請求項１に記載のポンプ。
【請求項３】
前記インペラは、
前記羽根部を挟んで対向するように配置される一対の側板を有し、
前記一対の側板は、
互いに対向する面とは相反する面に、回転中心に向かって、互いに対向する面とは相反する側に広がるように傾斜する傾斜部を具備する、
請求項１又は請求項２に記載のポンプ。
【請求項４】
前記インペラは、
前記羽根部を挟んで対向するように配置される一対の側板を有し、
前記一対の側板は、
互いに対向する面とは相反する面に、回転中心を囲むように立設された遮蔽部を具備する、
請求項１から請求項３までのいずれか一項に記載のポンプ。
【発明の詳細な説明】
【技術分野】
【０００１】
本発明は、流体を圧送するポンプの技術に関する。
【背景技術】
【０００２】
従来、流体を圧送するポンプの技術は公知となっている。例えば、特許文献１に記載の如くである。
【０００３】
特許文献１に記載のポンプは、回転軸と一体的に回転するインペラ（羽根車）と、当該インペラを収容するケーシングを具備する、いわゆる遠心ポンプである。当該インペラは、回転軸の軸線方向から導入した流体を、径方向外側へと圧送する。
【０００４】
このようなポンプにおいては、インペラによって径方向外側へと圧送された流体が、径方向内側（インペラとケーシングの隙間）へと逆流（リーク）するおそれがある。このようなリークが発生すると、ポンプ効率が低下してしまう点で不利であった。
【先行技術文献】
【特許文献】
【０００５】
【特許文献１】特開２００３−３１４４９２号公報
【発明の概要】
【発明が解決しようとする課題】
【０００６】
本発明は以上の如き状況に鑑みてなされたものであり、その解決しようとする課題は、ポンプ効率の向上を図ることが可能なポンプを提供することである。
【課題を解決するための手段】
【０００７】
本発明の解決しようとする課題は以上の如くであり、次にこの課題を解決するための手段を説明する。
【０００８】
即ち、請求項１においては、羽根部を有し、回転することによって、流体を回転中心側から径方向外側へと圧送するインペラと、前記インペラを収容する収容部、前記インペラの径方向外側から前記収容部を囲むように形成され、前記インペラにより圧送された流体を下流端部に接続された吐出部へと案内する案内流路、及び前記収容部と前記案内流路とが連通する部分の流路面積を絞るように形成された絞り部を具備するケーシングと、を具備するものである。
【０００９】
請求項２においては、前記インペラは、外周部が、前記案内流路内に位置するように配置されるものである。
【００１０】
請求項３においては、前記インペラは、前記羽根部を挟んで対向するように配置される一対の側板を有し、前記一対の側板は、互いに対向する面とは相反する面に、回転中心に向かって、互いに対向する面とは相反する側に広がるように傾斜する傾斜部を具備するものである。
【００１１】
請求項４においては、前記インペラは、前記羽根部を挟んで対向するように配置される一対の側板を有し、前記一対の側板は、互いに対向する面とは相反する面に、回転中心を囲むように立設された遮蔽部を具備するものである。
【発明の効果】
【００１２】
本発明の効果として、以下に示すような効果を奏する。
【００１３】
請求項１においては、ポンプ効率の向上を図ることができる。
【００１４】
請求項２においては、より効果的にポンプ効率の向上を図ることができる。
【００１５】
請求項３においては、より効果的にポンプ効率の向上を図ることができる。
【００１６】
請求項４においては、より効果的にポンプ効率の向上を図ることができる。
【図面の簡単な説明】
【００１７】
【図１】実施形態に係るポンプを用いた蒸発燃料処理機構を示した概略図。
【図２】ポンプの斜視図。
【図３】ポンプの正面断面図。
【図４】ポンプの平面断面図。
【図５】ポンプの正面断面拡大図。
【図６】（ａ）複合部材の平面図。（ｂ）複合部材の正面図。
【発明を実施するための形態】
【００１８】
以下では、図中の矢印Ｕ、矢印Ｄ、矢印Ｆ、矢印Ｂ、矢印Ｌ及び矢印Ｒで示した方向を、それぞれ上方向、下方向、前方向、後方向、左方向及び右方向と定義して説明を行う。
【００１９】
まず、図１を用いて、本発明の一実施形態に係るポンプ５を用いた蒸発燃料処理機構１の概略について説明する。
【００２０】
蒸発燃料処理機構１は、自動車に設けられ、蒸発した燃料（蒸発燃料）を処理するものである。蒸発燃料処理機構１は、主として燃料タンク２、キャニスタ３、フィルタ４、ポンプ５、パージバルブ６、インテークマニホールド７及びスロットルバルブ８を具備する。
【００２１】
自動車の燃料タンク２には、キャニスタ３が接続されている。キャニスタ３は、フィルタ４を介して大気を導く通路が形成されている。またキャニスタ３は、ポンプ５及びパージバルブ６を介してインテークマニホールド７（より具体的には、スロットルバルブ８の下流側）と接続されている。
【００２２】
燃料タンク２内で発生した蒸発燃料を含む空気はキャニスタ３へと案内される。当該空気は、キャニスタ３によって蒸発燃料が吸着されることにより浄化され、溜め込むことができる。
【００２３】
また、パージバルブ６が開かれると共にポンプ５が作動されると、大気中の空気がキャニスタ３へと吸入される。当該空気によって、キャニスタ３で吸着されていた蒸発燃料が脱着される。当該蒸発燃料を含んだ空気は、ポンプ５及びパージバルブ６を介してインテークマニホールド７へと導入される。当該蒸発燃料は、エンジンのシリンダ内で燃焼処理される。
【００２４】
以上の如く、蒸発燃料処理機構１では、ポンプ５を用いてキャニスタ３からの空気（蒸発燃料を含む空気）を積極的にインテークマニホールド７へと送り込むことができる。これによって、キャニスタ３からの空気をインテークマニホールド７へと送り込むために、当該インテークマニホールド７内の負圧を確保する必要がなくなる。したがって、エンジンのポンピングロスの低減を図るために、インテークマニホールド７内の負圧を低減させることも可能になる。
【００２５】
以下では、図２から図６までを用いて、第一実施形態に係るポンプ５について説明する。ポンプ５は、主としてモータ１０、インペラ２０、ケーシング３０及び複合部材４０を具備する。
【００２６】
図２及び図３に示すモータ１０は、インペラ２０を回転させる動力源となるものである。モータ１０は、一方向（本実施形態においては上方）に向かって突出するように設けられた出力軸１１を具備する。出力軸１１の上面には、雌ネジ１１ａが形成される。
【００２７】
図３から図５までに示すインペラ２０は、空気を圧送するものである。インペラ２０は、例えば樹脂材料により形成される。インペラ２０は、主として第一側板２１、第二側板２２及び羽根部２３を具備する。
【００２８】
第一側板２１は、上下方向に所定の厚みを有する略円形板状に形成される。第一側板２１は、主としてブシュ２１ａ、傾斜部２１ｃ及び遮蔽部２１ｄを具備する。
【００２９】
ブシュ２１ａは、モータ１０の出力軸１１と連結される部材である。ブシュ２１ａは、第一側板２１の中心部に形成された貫通孔に嵌め合わされて固定される。ブシュ２１ａには、平面視において適宜の形状（円形以外の形状）となる貫通孔が形成される。当該貫通孔に出力軸１１が挿通されることで、当該出力軸１１と第一側板２１の相対回転が不能となる。すなわち、出力軸１１と第一側板２１とが一体的に回転可能となる。
【００３０】
図５に示す傾斜部２１ｃは、第一側板２１の下面の外周端部近傍に形成される。傾斜部２１ｃは、第一側板２１の径方向外側から内側（中心側）に向かって下方に傾斜するように形成される。
【００３１】
遮蔽部２１ｄは、第一側板２１の下面の外周端部近傍に形成される。具体的には、遮蔽部２１ｄは、傾斜部２１ｃの径方向内側（中心側）端部に連続するように形成される。遮蔽部２１ｄは、第一側板２１の下面から鉛直下方に延びるように形成（立設）される。
【００３２】
傾斜部２１ｃ及び遮蔽部２１ｄは、第一側板２１の全周に亘るように形成される。
【００３３】
図３及び図５に示す第二側板２２は、上下方向に所定の厚みを有する略円形板状に形成される。第二側板２２の外径は、第一側板２１の外径と略同一となるように形成される。第二側板２２は、主として屈曲部２２ａ、導入部２２ｂ、傾斜部２２ｃ及び遮蔽部２２ｄを具備する。
【００３４】
屈曲部２２ａは、第二側板２２の中央部分が、外周側から中心側に向かって上方に膨出するように徐々に屈曲した部分である。これによって、屈曲部２２ａは略円錐状に形成される。
【００３５】
導入部２２ｂは、軸線方向を上下方向に向けた略円筒状に形成される部分である。導入部２２ｂは、第二側板２２の中心部（屈曲部２２ａの中心部）に形成される。導入部２２ｂは、上方に向かって所定の長さだけ延びるように形成される。
【００３６】
図５に示す傾斜部２２ｃは、第二側板２２の上面の外周端部近傍に形成される。傾斜部２２ｃは、第二側板２２の径方向外側から内側（中心側）に向かって上方に傾斜するように形成される。
【００３７】
遮蔽部２２ｄは、第二側板２２の上面の外周端部近傍に形成される。具体的には、遮蔽部２２ｄは、傾斜部２２ｃの径方向内側（中心側）端部に連続するように形成される。遮蔽部２２ｄは、第二側板２２の上面から鉛直上方に延びるように形成（立設）される。
【００３８】
傾斜部２２ｃ及び遮蔽部２２ｄは、第二側板２２の全周に亘るように形成される。第二側板２２の傾斜部２２ｃ及び遮蔽部２２ｄは、第一側板２１の傾斜部２１ｃ及び遮蔽部２１ｄと上下対称となるように形成される。
【００３９】
羽根部２３は、第一側板２１の上面から上方に向かって突出するように複数形成される。羽根部２３は、平面視において適宜の渦巻き状に形成される。具体的には、羽根部２３は、ブシュ２１ａの周囲から第一側板２１の外周端部に亘るように形成される。羽根部２３は、平面視において径方向外側に向かうにつれて反時計回り方向に曲がる曲線状に形成される。羽根部２３は、適宜の高さ（上下方向幅）となるように形成される。羽根部２３は、第一側板２１と一体的に形成される。なお、本実施形態の羽根部２３は、平面視において径方向外側に向かうにつれて反時計回り方向に曲がる曲線状に形成されるものとしたが、本発明はこれに限るものではなく、例えば時計回り方向に曲がる曲線状に形成することも可能である。
【００４０】
第二側板２２は、第一側板２１と中心位置を合わせた状態で、上方から羽根部２３に固定される。これによって、第一側板２１、第二側板２２及び羽根部２３が互いに固定され、インペラ２０が形成される。この状態では、第一側板２１と第二側板２２とが上下に対向するように配置される。第一側板２１と第二側板２２との間（内側）には一定の隙間（空気の流路）が形成され、当該隙間に羽根部２３が配置されることになる。
【００４１】
図２から図４までに示すケーシング３０は、インペラ２０を収容すると共に当該インペラ２０から送られた空気を案内するものである。ケーシング３０は、下側部材３０Ａ及び上側部材３０Ｂにより形成される。
【００４２】
下側部材３０Ａは、ケーシング３０の下部を形成するものである。下側部材３０Ａは、上下方向に所定の厚みを有する略板状に形成される。下側部材３０Ａは、適宜の締結部材（ボルト等）によってモータ１０の上面に固定される。
【００４３】
上側部材３０Ｂは、ケーシング３０の上部を形成するものである。上側部材３０Ｂは、上下方向に所定の厚みを有する略板状に形成される。上側部材３０Ｂの中央部分は上方に膨出するように形成される。上側部材３０Ｂは、適宜の締結部材（ボルト等）によって下側部材３０Ａの上面に固定される。
【００４４】
このように、下側部材３０Ａと上側部材３０Ｂが互いに固定され、ケーシング３０が形成される。当該ケーシング３０は、インペラ２０を収容すると共に当該インペラ２０から送られた空気を案内できるように適宜の形状に形成されている。以下では、当該ケーシング３０の構成について具体的に説明する。
【００４５】
ケーシング３０は、主として収容部３１、導入部３２、ボリュート３３、絞り部３４、吐出部３５及び舌部３６を具備する。
【００４６】
図３から図５までに示す収容部３１は、インペラ２０を収容する部分である。収容部３１は、概ねインペラ２０に沿った形状（インペラ２０よりも一回り大きい形状）となるように形成される。これによって、収容部３１は、平面視において略円形状に形成されることになる。平面視において、収容部３１の外径は、インペラ２０の外径よりもやや小さくなるように形成される。収容部３１の底面の中心部には、当該底面を上下に貫通する貫通孔３１ａが形成される。また収容部３１は、溝部３１ｂを具備する。
【００４７】
図５に示す溝部３１ｂは、収容部３１の外周端部近傍に形成される。溝部３１ｂは、収容部３１の上面及び下面（底面）のうち、インペラ２０の遮蔽部２１ｄ及び遮蔽部２２ｄと対向する部分を、それぞれ上下に凹ませるように形成される。すなわち溝部３１ｂは、遮蔽部２１ｄ及び遮蔽部２２ｄと同様に、収容部３１の全周に亘るように形成される。
【００４８】
図３及び図５に示す導入部３２は、ケーシング３０の外部から内部へと空気を案内する部分である。導入部３２は、軸線方向を上下方向に向けた略円筒状に形成される。導入部３２は、ケーシング３０の上面の中心部に形成される。導入部３２は、上方に向かって所定の長さだけ延びるように形成される。当該導入部３２を介して、収容部３１が外部と連通される。
【００４９】
図３から図５までに示すボリュート３３は、収容部３１（インペラ２０）から送られてくる空気を案内するもの（空気の流路）である。ボリュート３３は、収容部３１を径方向（平面視においてモータ１０の出力軸１１を中心とする径方向）外側から囲むように形成される。これによって、ボリュート３３は、収容部３１（インペラ２０）から送られてくる空気を、周方向に案内することができる。ボリュート３３は、空気の流通方向（周方向）に垂直な断面形状（図５参照）が略円形状となるように形成される。
【００５０】
絞り部３４は、収容部３１とボリュート３３とを連通する部分である。絞り部３４は、収容部３１とボリュート３３との間の上下の内壁面をそれぞれ膨出させるようにして形成される。これによって、当該絞り部３４の上下間の隙間は、収容部３１及びボリュート３３の上下幅よりも小さく形成される。すなわち、収容部３１からボリュート３３へと流通する空気の流路面積が、当該絞り部３４によって絞られる（縮小される）ことになる。
【００５１】
図２から図４までに示す吐出部３５は、ケーシング３０の内部から外部へと空気を案内する部分である。吐出部３５は、軸線方向を水平方向（本実施形態においては右方）に向けた略円筒状に形成される。吐出部３５は、ボリュート３３の後端部から右方に向かって延びるように形成される。すなわち吐出部３５は、平面視においてボリュート３３の形状（円形）の接線方向に延びるように形成される。当該吐出部３５を介して、ボリュート３３が外部と連通される。
【００５２】
図４に示す舌部３６は、ボリュート３３における空気の流通を調整するためのものである。舌部３６は、ボリュート３３の外周側の側壁において、吐出部３５との連通部分に形成される。舌部３６は、平面視において先鋭状に形成され、ボリュート３３内を流通する空気を適宜吐出部３５とボリュート３３とに分流させる。
【００５３】
このように構成されたケーシング３０の収容部３１内にインペラ２０が配置される。ここで、上述の如く、平面視において、収容部３１の外径は、インペラ２０の外径よりもやや小さく形成されている。このため、図５に示すように、インペラ２０の外周部（より詳細には、傾斜部２１ｃ及び傾斜部２２ｃよりも径方向外側の部分）は、絞り部３４を介して収容部３１からボリュート３３内へと延出される。モータ１０の出力軸１１は、貫通孔３１ａに挿通され、当該出力軸１１の先端部が収容部３１内に配置される。当該出力軸１１の先端部はインペラ２０のブシュ２１ａに挿通され、後述する複合部材４０によって当該出力軸１１とインペラ２０とが固定される。
【００５４】
図５及び図６に示す複合部材４０は、インペラ２０を出力軸１１に固定すると共に、空気を案内するためのものである。複合部材４０は、主として固定部４１及び案内部４２を具備する。
【００５５】
固定部４１は、インペラ２０を出力軸１１に固定するための部分である。固定部４１は、主としてネジ部４１ａ、フランジ部４１ｂ及び頭部４１ｃを具備する。
【００５６】
ネジ部４１ａは、出力軸１１に対して締結される部分である。ネジ部４１ａには雄ネジが形成される。
【００５７】
フランジ部４１ｂは、略円形板状の部分である。フランジ部４１ｂは、ネジ部４１ａの一端（上端）に形成される。フランジ部４１ｂの径は、インペラ２０のブシュ２１ａの貫通孔の径よりも大きくなるように形成される。
【００５８】
頭部４１ｃは、略六角柱状の部分である。頭部４１ｃは、フランジ部４１ｂの上面に形成される。
【００５９】
案内部４２は、空気を案内するための部分である。案内部４２は、略円錐状に形成される。具体的には、案内部４２は、固定部４１の頭部４１ｃの上面から上方に向かって延びるように形成される。案内部４２は、上方に向かって先細りになる先鋭状に形成される。案内部４２の側面は、側面視（図６（ｂ）参照）において、上方に向かって曲線的に縮径するように形成される。案内部４２は、固定部４１（頭部４１ｃ）と一体的に形成される。
【００６０】
複合部材４０のネジ部４１ａは、インペラ２０の第一側板２１の上方から出力軸１１の雌ネジ１１ａに締結される。これによって、フランジ部４１ｂが第一側板２１を上方から押圧し、当該第一側板２１（インペラ２０）を出力軸１１に固定することができる。この状態では、複合部材４０は、インペラ２０の導入部２２ｂと上下に対向するように配置されることになる。複合部材４０を出力軸１１に固定する際には、ケーシング３０の導入部３２やインペラ２０の導入部２２ｂを介して工具（レンチ等）を収容部３１内（インペラ２０内）に挿入し、当該工具で頭部４１ｃを回すことで、複合部材４０を出力軸１１に容易に締結することができる。
【００６１】
このように、複合部材４０を出力軸１１に締結した状態（図５参照）において、案内部４２の先端部（上端部）は、上下方向においてインペラ２０の屈曲部２２ａの上端部と略同一位置（高さ）に配置されている。より具体的には、第二側板２２の内側面において、屈曲部２２ａと導入部２２ｂとの境界部分の高さと、案内部４２の先端部の高さが、略同一となるように配置されている。
【００６２】
次に、上述の如く構成されたポンプ５の動作態様について説明する。
【００６３】
モータ１０が駆動して出力軸１１が平面視時計回りに回転すると、当該出力軸１１と一体的にインペラ２０が回転する。インペラ２０が回転すると、羽根部２３によって、インペラ２０の流路内（第一側板２１と第二側板２２との内側）の空気が径方向外側に向かって送り出される。これに伴って、空気が導入部３２を介してケーシング３０（収容部３１）内へと吸い込まれ、さらに導入部２２ｂからインペラ２０の内側へと導入されることになる。このようにして、導入部３２から吸い込まれた空気を連続的にインペラ２０の径方向外側へと送り出すことができる。
【００６４】
この際、導入部２２ｂからインペラ２０の内側へと導入された空気は、複合部材４０の案内部４２によって水平方向に広がるように案内される。これによって、インペラ２０の径方向外側への空気の流通を促すことができ、ポンプ効率の向上を図ることができる。特に本実施形態の案内部４２の先端部は高い位置（インペラ２０の屈曲部２２ａの上端部と略同一位置）に配置されているため、空気を上流側から径方向外側へと案内し始めることができ、効果的にポンプ効率の向上を図ることができる。
【００６５】
インペラ２０によって当該インペラ２０の径方向外側へと送り出された空気は、絞り部３４を介してボリュート３３へと流入する。ボリュート３３に流入した空気は、当該ボリュート３３内を平面視時計回りに流通する。ボリュート３３内の空気は、当該ボリュート３３の上流端部（舌部３６近傍）から下流端部（吐出部３５）に向かって流通し、当該吐出部３５から外部へと圧送される。この際、一部の空気は舌部３６によって分流され、再びボリュート３３の上流端部へと流入する。
【００６６】
以下では、上述の如く構成されたポンプ５において、空気のリーク（内部リーク）や異物による不具合の発生が抑制される様子について説明する。
【００６７】
インペラ２０は回転する部材であるため、ケーシング３０と干渉しないように、当該ケーシング３０（収容部３１）との間（インペラ２０の上方や下方）には隙間が形成される。ここで、インペラ２０から径方向外側へと送り出された空気が当該隙間（径方向内側）に流入（内部リーク）してしまうと、ポンプ５の吐出圧力や流量が低下し、ひいてはポンプ効率が低下してしまう。
【００６８】
また、空気中に含まれる異物が当該隙間に侵入すると、ポンプ５の駆動部分（例えば、回転する出力軸１１等）に異物が挟まって動作不良等の不具合が生じるおそれがある。そこで本実施形態に係るポンプ５は、当該空気のリークや異物による不具合を防止する構成を有している。
【００６９】
具体的には、図５に示すように、インペラ２０は、外周部がボリュート３３内に位置するように配置されている。このように構成することで、インペラ２０から径方向外側へと圧送された空気が、再び収容部３１へと戻る（逆流）するのを抑制することができる。特に本実施形態においては、収容部３１とボリュート３３との間に絞り部３４が形成されることで、インペラ２０と絞り部３４との隙間が小さくなるように形成されている。これによって、ボリュート３３から収容部３１への空気の逆流をより効果的に抑制することができる。
【００７０】
また、ボリュート３３から収容部３１への空気の逆流を抑制することで、空気に混入した異物が収容部３１へと侵入するのも抑制することができる。特に絞り部３４が形成されているため、インペラ２０と絞り部３４との隙間よりも大きい異物がボリュート３３から収容部３１へと侵入するのを防止することができる。
【００７１】
また、絞り部３４の径方向内側において、インペラ２０には傾斜部２１ｃ及び傾斜部２２ｃが形成されている。インペラ２０と絞り部３４との隙間から収容部３１へと空気が逆流したとしても、当該傾斜部２１ｃ及び傾斜部２２ｃによって当該空気の径方向内側への流通が阻害される。これによって、空気のリークを抑制することができる。
【００７２】
また、インペラ２０と絞り部３４との隙間から収容部３１へと異物が侵入したとしても、インペラ２０の傾斜部２１ｃ及び傾斜部２２ｃ（特に、下側に配置された傾斜部２１ｃ）に当該異物の多くが衝突することになるため、当該異物の流通の勢いが弱められる。勢いが弱められた異物は、重力によって下方へと落下し、収容部３１の溝部３１ｂ（特に、下側に形成された溝部３１ｂ）内に溜まることになる。これによって、異物がさらに内側（出力軸１１側）へと侵入するのを抑制することができる。
【００７３】
なお、本実施形態のポンプ５は収容部３１の下側だけでなく上側にも溝部３１ｂが形成されているため、ポンプ５を上下逆さまにして使用したとしても、上記と同様に異物の侵入を抑制することができる。
【００７４】
以上の如く、本実施形態に係るポンプ５は、
羽根部２３を有し、回転することによって、流体を回転中心側から径方向外側へと圧送するインペラ２０と、
前記インペラ２０を収容する収容部３１、前記インペラ２０の径方向外側から前記収容部３１を囲むように形成され、前記インペラ２０により圧送された流体を下流端部に接続された吐出部３５へと案内するボリュート３３（案内流路）、及び前記収容部３１と前記ボリュート３３とが連通する部分の流路面積を絞るように形成された絞り部３４を具備するケーシング３０と、
を具備するものである。
【００７５】
このように構成することにより、ポンプ効率の向上を図ることができる。すなわち、ボリュート３３から収容部３１への空気のリーク（内部リーク）を抑制することができ、吐出圧力や流量の低下を抑制することができる。また空気と同様に、異物の収容部３１への侵入を抑制することができ、ひいては当該異物に起因する不具合の発生を抑制することができる。
【００７６】
また、前記インペラ２０は、
外周部が、前記ボリュート３３内に位置するように配置されるものである。
【００７７】
このように構成することにより、より効果的にポンプ効率の向上を図ることができる。すなわち、ボリュート３３から収容部３１への空気のリーク（内部リーク）をより効果的に抑制することができる。また空気と同様に、異物の収容部３１への侵入を抑制することができ、ひいては当該異物に起因する不具合の発生を抑制することができる。
【００７８】
また、前記インペラ２０は、
前記羽根部２３を挟んで対向するように配置される一対の側板（第一側板２１及び第二側板２２）を有し、
前記一対の側板は、
互いに対向する面とは相反する面（第一側板２１の下面及び第二側板２２の上面）に、回転中心に向かって、互いに対向する面とは相反する側に広がるように傾斜する傾斜部（傾斜部２１ｃ及び傾斜部２２ｃ）を具備するものである。
【００７９】
このように構成することにより、より効果的にポンプ効率の向上を図ることができる。すなわち、傾斜部２１ｃ及び傾斜部２２ｃによって回転中心へ向かう空気の流通を阻害することができるため、ボリュート３３から収容部３１への空気のリーク（内部リーク）をより効果的に抑制することができる。また空気と同様に、異物の収容部３１への侵入を抑制することができ、ひいては当該異物に起因する不具合の発生を抑制することができる。また、特に本実施形態の如くインペラ２０の上下両面に同様の傾斜部（傾斜部２１ｃ及び傾斜部２２ｃ）を形成することで、当該インペラ２０の重心の偏りを抑制し、当該インペラ２０が回転する際の振動やばたつきを抑制することができる。
【００８０】
また、前記インペラ２０は、
前記羽根部２３を挟んで対向するように配置される一対の側板（第一側板２１及び第二側板２２）を有し、
前記一対の側板は、
互いに対向する面とは相反する面（第一側板２１の下面及び第二側板２２の上面）に、回転中心を囲むように立設された遮蔽部（遮蔽部２１ｄ及び遮蔽部２２ｄ）を具備するものである。
【００８１】
このように構成することにより、より効果的にポンプ効率の向上を図ることができる。すなわち、遮蔽部２１ｄ及び遮蔽部２２ｄによって回転中心へ向かう空気の流通を阻害することができるため、ボリュート３３から収容部３１への空気のリーク（内部リーク）をより効果的に抑制することができる。また空気と同様に、異物の収容部３１への侵入を抑制することができ、ひいては当該異物に起因する不具合の発生を抑制することができる。また、特に本実施形態の如くインペラ２０の上下両面に同様の遮蔽部（遮蔽部２１ｄ及び遮蔽部２２ｄ）を形成することで、当該インペラ２０の重心の偏りを抑制し、当該インペラ２０が回転する際の振動やばたつきを抑制することができる。
【００８２】
なお、本実施形態に係るボリュート３３は、案内流路の実施の一形態である。
【００８３】
以上、本発明の実施形態を説明したが、本発明は上記構成に限定されるものではなく、特許請求の範囲に記載された発明の範囲内で種々の変更が可能である。
【００８４】
例えば、インペラ２０は一対の側板（第一側板２１及び第二側板２２）を有するもの（いわゆる、クローズドインペラ）として説明したが、その他のインペラ（例えば、一枚の側板のみを有するオープンインペラ等）を適宜用いることも可能である。
【００８５】
また、傾斜部（傾斜部２１ｃ及び傾斜部２２ｃ）、遮蔽部（遮蔽部２１ｄ及び遮蔽部２２ｄ）、溝部３１ｂの形状は本実施形態のものに限らず、適宜変更することができる。
【００８６】
また、複合部材４０の形状は本実施形態に限定するものではない。例えば、案内部４２の形状は、インペラ２０の形状等に応じて任意に設定することが可能である。
【符号の説明】
【００８７】
５      ポンプ
１０    モータ
２０    インペラ
２１    第一側板
２１ｃ  傾斜部
２１ｄ  遮蔽部
２２    第二側板
２２ｃ  傾斜部
２２ｄ  遮蔽部
２３    羽根部
３０    ケーシンング
３１    収容部
３３    ボリュート
３４    絞り部
【図１】
2019027424.tif 000003
【図２】
2019027424.tif 000004
【図３】
2019027424.tif 000005
【図４】
2019027424.tif 000006
【図５】
2019027424.tif 000007
【図６】
2019027424.tif 000008